(57)【特許請求の範囲】
【請求項１】
表面側に円筒状の熱収縮フィルムが取り付けられた台紙を備え、上記熱収縮フィルム内にスプレー缶などの商品を挿入するとともに、同熱収縮フィルムを熱収縮させて、上記商品を上記台紙に保持してなる商品陳列用包装体において、
上記台紙は、上端側に吊下手段を有するとともに、上記熱収縮フィルムを介して上記商品を保持する台紙本体と、同台紙本体の下端側に折り目線を介してその表面側に折り返し可能に連設された上記商品の幅よりも幅の狭い帯板と、同帯板の自由端側の端部を上記台紙本体に係止する係止手段とを備え、上記帯板が上記熱収縮フィルム内に挿通された状態で上記台紙本体の表面側に折り返され、その端部が上記係止手段にて上記台紙本体に形成されたスリットに係止され、上記帯板が上記商品とともに上記熱収縮フィルム内にシュリンクパックされていることを特徴とする商品陳列用包装体。
【請求項２】
上記係止手段が、上記帯板の端部に折り曲げ可能に形成された係止片と、上記台紙本体側に形成されたスリットからなることを特徴とする請求項１に記載の商品陳列用包装体。
【請求項３】
上記台紙本体の表面側において、上記帯板が折り返される部分の両側が上記商品の広告や説明用などの印刷面とされていることを特徴とする請求項１に記載の商品陳列用包装体。
【発明の詳細な説明】
【０００１】
【発明の属する技術分野】
本発明は例えば店頭においてハンガーバーなどに吊り下げて展示される商品陳列用包装体に関し、さらに詳しく言えば、スプレー缶などの商品を熱収縮フィルムを介して台紙に保持させてなる商品陳列用包装体に関するものである。
【０００２】
【従来の技術】
商品の包装形態には、いわゆる箱詰め式、台紙に商品を象った透明プラスチックカバーを被せたブリスターパック式、商品を直接的に熱収縮性フィルムにて包み込むシュリンクパック式などが知られているが、シュリンクパックは嵩張らない点および商品そのものが良く見え、内容物が分かりやすい点で、主として乾電池や小型のスプレー缶などに適用されている。
【０００３】
また、このシュリンクパックにしても、商品単体をそのまま包み込む場合と、広告宣伝用や商品説明用などの台紙とともに包み込む場合とがあるが、後者の場合、特に商品がスプレー缶などの円柱状であると、台紙が商品の曲面に反って変形してしまい、その結果、台紙の印刷表面が有効に活かされないという問題が生ずる。
【０００４】
なお、この問題は紙厚が厚く容易に変形しないような台紙を使用することによりある程度は解決されるが、このような台紙ではコストが高くなるという別の問題が発生するので、にわかに採用できない。
【０００５】
そこで、例えば特開平８−４０４５６号公報においては、図５に示されているように、台紙１０に切り起こし可能な一対の係合舌片１２ａ，１２ｂを対向的に形成し、筒状の熱収縮フィルムＳＦの両端を矢印１４ａ，１４ｂにて示すように、これらの係合舌片１２ａ，１２ｂにあらかじめ係合させておく。
【０００６】
そして、その熱収縮フィルムＳＦ内に、商品としての例えばスプレー缶Ｂを挿通した後、加熱雰囲気中においてその全体を加熱して熱収縮フィルムＳＦを収縮させるようにしている。
【０００７】
【発明が解決しようとする課題】
これによれば、熱収縮フィルムＳＦが収縮しても、台紙１０は平板状に保たれるため、台紙１０の表面側を広告・宣伝や商品説明欄として有効に使用することができるが、これには次のような課題がある。
【０００８】
すなわち、実際の生産工程では、台紙の製造工程とシュリンクパック詰め工程は別々の場所で行なわれ、まず、台紙の製造工程で板紙から係合舌片１２ａ，１２ｂ付きの台紙１０が打ち抜きかれて、その係合舌片１２ａ，１２ｂ間に熱収縮フィルムＳＦが取り付けられる。
【０００９】
そして、シュリンクパック詰め工程に運ばれ、その熱収縮フィルムＳＦ内にスプレー缶Ｂが挿入され、加熱処理が行なわれるのであるが、台紙の製造工程からシュリンクパック詰め工程に搬送される際には、熱収縮フィルムＳＦは係合舌片１２ａ，１２ｂ間に仮り止め的に保持されているだけであるため、しばしば熱収縮フィルムＳＦが台紙１０から抜け落ちたりすることがあった。
【００１０】
このため、シュリンクパック詰め工程で、再度熱収縮フィルムＳＦを台紙１０に取り付けなければならず、生産性の面で支障が生じていた。
【００１１】
また、係合舌片１２ａ，１２ｂが熱収縮フィルムＳＦの端部に係合しているだけであるため、商品と一体にシュリンクパックした後においても、例えば落下衝撃などの外部衝撃や商品自体の重さにより、熱収縮フィルムＳＦが係合舌片１２ａ，１２ｂからはずれてしまうという問題も指摘されている。
【００１２】
そこで、本発明は上述した課題を解決するためになされたもので、その目的は、製造工程間の搬送時はもとより商品展示時においても、熱収縮性フィルムが台紙から外れないようにした商品陳列用包装体を提供することにある。
【００１３】
【課題を解決するための手段】
上述した目的を達成するため、本発明は、表面側に円筒状の熱収縮フィルムが取り付けられた台紙を備え、上記熱収縮フィルム内にスプレー缶などの商品を挿入するとともに、同熱収縮フィルムを熱収縮させて、上記商品を上記台紙に保持してなる商品陳列用包装体において、上記台紙は、上端側に吊下手段を有するとともに、上記熱収縮フィルムを介して上記商品を保持する台紙本体と、同台紙本体の下端側に折り目線を介してその表面側に折り返し可能に連設された上記商品の幅よりも幅の狭い帯板と、同帯板の自由端側の端部を上記台紙本体に係止する係止手段とを備え、上記帯板が上記熱収縮フィルム内に挿通された状態で上記台紙本体の表面側に折り返され、その端部が上記係止手段にて上記台紙本体に形成されたスリットに係止され、上記帯板が上記商品とともに上記熱収縮フィルム内にシュリンクパックされていることを特徴としている。
【００１４】
このように、本発明によれば、熱収縮フィルムはその内部に帯板が挿通され、同帯板を介して台紙本体に保持されるため、熱収縮の前後に拘わらず、台紙本体から脱落することはない。
【００１５】
本発明において、上記係止手段は、上記帯板の端部に折り曲げ可能に形成された係止片と、上記台紙本体側に形成されたスリットとからなることが好ましく、これによれば、その係止片をスリット内に挿通して折り曲げるだけの簡単な操作で確実に帯板を台紙本体に係止することができる。
【００１６】
また、本発明によれば、台紙本体は熱収縮フィルムの応力を受けないためシュリンク後も平板状に保たれる。したがって、台紙本体の表面側において、帯板が折り返される部分の両側を商品の広告や説明用などの印刷面として使用することができる。
【００１７】
【発明の実施の形態】
次に、本発明を図面に示された実施例に基づいてより詳しく説明する。
【００１８】
本発明による実施例の分解斜視図が示されている図１を参照すると、この商品陳列用包装体１は、商品としての例えばスプレー缶Ｂを保持するための台紙本体２を備えている。台紙本体２は例えば厚紙やプラスチックなどの１枚の板状片からなり、その上端側には図示しないハンガーバーなどに対する吊下手段としての吊下孔６が設けられている。
【００１９】
台紙本体２の下端側には、第１折り目線３１を介して同台紙本体２の表面側（スプレー缶Ｂが取り付けられる側の面）に折り曲げ可能な帯板３が連設されている。この帯板３は台紙本体２の幅よりも狭い幅とされ、好ましくは台紙本体２の下端側中央部から引き出されている。帯板３の自由端側の端部（先端部）には、第２折り目線４１を介して折り曲げ可能な係止片４が一体的に形成されている。
【００２０】
また、台紙本体２には、第１折り目線３１を介して帯板３がほぼ１８０度折り曲げられた際の係止片４と対応する位置に、同係止片４を差し込み可能とするスリット５が形成されている。
【００２１】
次に、この商品陳列用包装体１の組立手順について説明する。まず、帯板３を第１折り目線３１を介して台紙本体２の表面側に折り返し、その帯板３に筒状の熱収縮フィルムＳＦを挿通する。そして、帯板３の先端にある係止片４をスリット５内に差し込み、同係止片４を第２折り目線４１を介して台紙本体２の裏面側に沿って折り曲げる。
【００２２】
その場合、係止片４の折り曲げ方向は上向き（台紙本体２の上端方向）、下向き（台紙本体２の下端方向）のいずれでもよいが、より確実な係止状態を得るには下向きが好ましい。なお、台紙本体２に対して帯板３が真っ直ぐになされている状態でそれに熱収縮フィルムＳＦを挿通し、しかる後、帯板３を台紙本体２の表面側に折り返してもよい。また、台紙本体２の裏面側において、係止片４を適当な接着剤にて接着してもよい。
【００２３】
このようにして、本発明によれば、図２の斜視図および図３の断面図に示されているように、熱収縮フィルムＳＦが帯板３に挿通された状態で台紙本体２に確実に取り付けられる。
【００２４】
次に、熱収縮フィルムＳＦ内に商品としてのスプレー缶Ｂを挿入し、加熱雰囲気内で熱収縮フィルムＳＦを熱収縮させて、最終的に図４に示されているようなシュリンクパック状態とする。
【００２５】
このシュリンクパック状態において、熱収縮フィルムＳＦ内には帯板３が挿通されているため、落下衝撃などの外部衝撃やスプレー缶Ｂの自重などにより、スプレー缶Ｂが台紙本体２から脱落するおそれはない。
【００２６】
また、台紙本体２の内、熱収縮フィルムＳＦによりスプレー缶Ｂとともにシュリンクされるのはその帯板３だけであるため、台紙本体２は反ったり曲がったりすることはなく平板状に保たれる。したがって、台紙本体２の表面の内、帯板３が折り返される部分を除いた残りの部分を、広告・宣伝もしくは商品説明欄として有効に使用することができる。
【００２７】
なお、上記実施例では、台紙本体２を矩形板状としているが、本発明によれば、台紙本体２自体は熱収縮フィルムＳＦにて包み込まれないため、台紙本体２を任意の形状、例えば楕円形や瓢箪型もしくは三角形などの種々の形状にすることができる。
【００２８】
【発明の効果】
以上説明したように、本発明によれば、表面側に円筒状の熱収縮フィルムが取り付けられた台紙を備え、その熱収縮フィルム内にスプレー缶などの商品を挿入するとともに、同熱収縮フィルムを熱収縮させて、商品を台紙に保持してなる商品陳列用包装体において、台紙本体の下端側に折り目線を介してその表面側に折り返し可能な幅の狭い帯板を連設し、この帯板に熱収縮フィルムを挿通した状態で同帯板を台紙本体の表面側に折り返して、その端部を台紙本体に係止するようにしたことにより、熱収縮の前後に拘わらず、熱収縮フィルムの台紙本体からの脱落を確実に防止することができる。
【図面の簡単な説明】
【図１】本発明の実施例に係る商品陳列用包装体の分解斜視図。
【図２】上記実施例において、帯板を介して台紙本体に熱収縮フィルムを保持した状態の斜視図。
【図３】図３の状態における縦断面図。
【図４】図２の状態の熱収縮フィルム内に商品を挿入し、最終的にシュリンクした状態の斜視図。
【図５】従来の商品陳列用包装体を示した分解斜視図。
【符号の説明】
１  商品陳列用包装体
２  台紙本体
３  帯板
３１  第１折り目線
４  係止片
４１  第２折り目線
５  スリット
６  吊下孔
Ｂ  スプレー缶（商品）
ＳＦ  熱収縮フィルム
【図１】
0004139477.tif 000002
【図２】
0004139477.tif 000003
【図３】
0004139477.tif 000004
【図４】
0004139477.tif 000005
【図５】
0004139477.tif 000006